(57)【要約】【課題】所望の大きさで、外観に優れ、且つ安全性の高い紐輪を作ることができ、しかも部材点数が少なくてコストを抑えた紐連結具を提供する。【解決手段】紐２の一端部に取り付けられる連結用パーツ３と、紐２の他端部に取り付けられる長さ調節用パーツ４とで構成される。長さ調節用パーツ４に紐２の中途部を摺動可能に保持する保持部１５が形成される。連結用パーツ３に長さ調節用パーツ４に取り付けられた紐２の他端部と保持部１５で保持された中途部との中間部を通すループ状の紐通し部３９が形成される。紐通し部３９は外力が作用した際に紐通し部３９に通した紐２が抜け出るよう開放される。【選択図】図１
2011139730.tif 000002
【特許請求の範囲】
【請求項１】
紐の一端部に取り付けられる連結用パーツと、紐の他端部に取り付けられる長さ調節用パーツとで構成され、長さ調節用パーツに紐の中途部を摺動可能に保持する保持部が形成され、連結用パーツに前記長さ調節用パーツに取り付けられた紐の他端部と保持部で保持された中途部との中間部を通すループ状の紐通し部が形成され、紐通し部は外力が作用した際に紐通し部に通した紐が抜け出るよう開放されることを特徴とする紐連結具。
【発明の詳細な説明】
【技術分野】
【０００１】
本発明は、ネックストラップ等の紐の両側を連結して輪状にする紐連結具に関する。
【背景技術】
【０００２】
従来、名札等を首にぶら下げるために利用されるネックストラップにあっては、紐の両側を連結して輪にするために紐連結具が用いられている。
【０００３】
特許文献１にはこの種の紐連結具が開示されている。この紐連結具は、紐の端に取り付けられる咬着部と、咬着部に分離可能に連結される輪部とからなる継手を二組備えている。この紐連結具を用いて紐を輪状に連結するには、一方の継手の咬着部に紐の一端を取り付け、紐の他端を他方の継手の輪部と一方の継手の輪部に順に通して他方の継手の咬着部に取り付ける。
【０００４】
この紐連結具によって連結された紐は、両継手の輪部に通された紐が摺動可能に保持され、紐の一方の継手の咬着部から他方の継手の輪部に至るまでの部分と、紐の他方の継手の咬着部から一方の継手の輪部に至るまでの部分とを重ならせた紐輪となり、前記紐の重なり部分の長さを調節して紐輪の大きさを調節できる。また、特許文献１の図３に示される紐輪のように紐輪の一部をスライダでくびれさせた部分ができず、見栄えが良い。また紐輪が物等に引っ掛かって紐輪に過大な張力が作用したときには、咬着部とこれに連結された輪部とが分離して輪が解かれ、安全性が高い。
【先行技術文献】
【特許文献】
【０００５】
【特許文献１】実用新案登録第３１１０８２７号公報
【発明の概要】
【発明が解決しようとする課題】
【０００６】
ところで特許文献１の紐連結具は、各継手が咬着部とこれに分離可能に連結された輪部との二部材よりなるため、部材点数が多く、製造コストがかかるという課題がある。
【０００７】
本発明は上記事情に鑑みてなされたものであって、所望の大きさで、外観に優れ、且つ安全性の高い紐輪を作ることができ、しかも部材点数が少なくてコストを抑えた紐連結具を提供することを課題とする。
【課題を解決するための手段】
【０００８】
上記課題を解決するために本発明の紐連結具は、紐２の一端部に取り付けられる連結用パーツ３と、紐２の他端部に取り付けられる長さ調節用パーツ４とで構成され、長さ調節用パーツ４に紐２の中途部を摺動可能に保持する保持部１５が形成され、連結用パーツ３に前記長さ調節用パーツ４に取り付けられた紐２の他端部と保持部１５で保持された中途部との中間部を通すループ状の紐通し部３９が形成され、紐通し部３９は外力が作用した際に紐通し部３９に通した紐２が抜け出るよう開放されることを特徴とする。
【０００９】
この紐連結具にあっては、連結用パーツ３を紐２の一端部に取り付け、長さ調節用パーツ４を紐２の他端部に取り付け、保持部１５で紐２の中途部を保持し、紐通し部３９に前記長さ調節用パーツ４に取り付けられた紐２の他端部と保持部１５で保持された中途部との中間部を通すことで、紐２の両側を連結して紐輪を作ることができる。この紐輪は、前記保持部１５に対して紐２を摺動することで紐輪の大きさを変更できる。また、紐２の取付部１３に取り付けられた他端部から紐通し部３９に通された中間部までの部位と、該紐通し部３９に通された中間部から保持部１５で保持された中途部までの部位を重ねることができ、この場合、紐輪の一部にくびれた部分ができず見栄えが良い。
【００１０】
また首に掛ける等した紐輪が物に引っ掛かる等して紐２に大きな張力が作用すると、ループ状の紐通し部３９が開放されて紐通し部３９に通した紐２が抜け出し、これによって紐輪が解ける。従って安全性が高い。しかも前記紐２の両側を連結する機能と紐輪に過大な張力が作用した際に紐輪を解く機能を兼ね備えた紐通し部３９は、外力が作用した際に開放され、これにより紐輪が解けるようにしているため一体に形成できる。このため連結用パーツ３は、紐２に取り付けられる取付部２７と紐通し部３９を一体に形成して一部材にできる。さらに長さ調節用パーツ４も紐２が取り付けられる取付部１３と保持部１５を一体に形成して一部材にできる。したがって紐連結具１の部材点数を少なくして製造コストを抑えることができる。
【発明の効果】
【００１１】
本発明にあっては、所望の大きさで、外観に優れ、且つ安全性の高い紐輪を作ることができ、しかも部材点数が少なくてコストを抑えた紐連結具を提供できる。
【図面の簡単な説明】
【００１２】
【図１】本発明の実施形態の紐連結具で作られた紐輪の連結部分を示す斜視図である。
【図２】同上の紐連結具の長さ調節用パーツの斜視図であり、（ａ）は成形時の状態、（ｂ）は使用時の状態を示す。
【図３】同上の紐連結具の連結用パーツの斜視図であり、（ａ）は成形時の状態、（ｂ）は使用時の状態を示す。
【図４】同上の紐連結具により作られた紐輪が解ける様子を示した側面図である。
【発明を実施するための形態】
【００１３】
以下、本発明を添付図面に基づいて説明する。図１に示される本実施形態の紐連結具１は、名札等の吊下物を首に吊り下げるためのネックストラップに設けられ、ネックストラップの帯状の紐２の両側を連結して紐輪を作るために用いられる。
【００１４】
紐連結具１は、紐２の一端部に取り付けられる連結用パーツ３と、紐２の他端部に取り付けられる長さ調節用パーツ４との二パーツで構成され、各パーツ３，４はポリプロピレン等の合成樹脂材料よりなる一体成形品である。
【００１５】
図２に示される長さ調節用パーツ４は、紐輪の周囲長を調節するために用いられ、扁平な、ベース部５、ベース部５の一端側に設けられた挟持部６、及びベース部５の他端側に設けられた囲み部７とを備えている。
【００１６】
挟持部６及び囲み部７の夫々は、ベース部５の側縁に薄肉部８、９を介して接続され、図２（ａ）のようにベース部５の側方に配置されている。挟持部６及び囲み部７の夫々は、対応する薄肉部８、９を屈曲することで、図２（ａ）の状態から、図２（ｂ）のようにベース部５に対向する使用状態までベース部５に対して独立して回動可能となっている。
【００１７】
ベース部５は、前記使用状態において挟持部６及び囲み部７の夫々に対向する対向部１１、１２を備えている。そして対向部１１と挟持部６とで紐２の端部に取り付けられる取付部１３が構成され、対向部１２と囲み部７とで紐２の中途部を摺動可能に保持する保持部１５が構成されている。
【００１８】
挟持部６及び対向部１１の夫々の薄肉部８と反対側の側端部には、係合部１６及び該係合部１６が弾性的且つ着脱自在に嵌め込まれて係合する被係合部１７が形成されている。図２（ｂ）のように係合部１６を被係合部１７に係合すると、取付部１３は保持部１５と反対側に開口１９を有する扁平筒状となる。
【００１９】
対向部１１と挟持部６の前記使用状態において互いに対向する面には、先端が尖った突起１８が複数形成されている。各突起１８は先端側程保持部１５側に位置するように傾斜している。
【００２０】
取付部１３を紐２の端部に取り付けるには、前述のように対向部１１に対して挟持部６を使用状態まで回動し、紐２の端部を対向部１１と挟持部６との間に挟み込むと共に、係合部１６を被係合部１７に係合する。これにより長さ調節用パーツ４は、対向部１１と挟持部６で紐２の端部を挟持し、且つ、対向部１１及び挟持部６の各突起１８を紐２の端部に食い込ませて該紐２の端部が取付部１３の開口１９から抜け出ることを防止した状態で、紐２の端部に取り付けられる。
【００２１】
保持部１５の囲み部７及び対向部１２の夫々の薄肉部９と反対側の側端部にも、係合部２０及び該係合部２０に弾性的且つ着脱自在に嵌め込まれて係合される被係合部２１が形成されている。図２（ｂ）のように係合部２０を被係合部２１に係合すると、保持部１５は、その中心軸が前記使用状態の取付部１３の中心軸と平行になる扁平筒状をなす。
【００２２】
保持部１５で紐２の中途部を保持するには、前述のように対向部１２に対して囲み部７を使用状態まで回動し、紐２の中途部を対向部１２と囲み部７の間に挟み込むと共に、係合部２０を被係合部２１に係合する。これにより紐２の保持部１５に通された中途部は対向部１２と囲み部７によって適度な力で挟持され、ある程度の張力が作用しない限り保持部１５に対して移動せず、また所定値以上の張力が作用したときにのみ保持部１５に対して摺動するようになる。
【００２３】
一方、図３に示される連結用パーツ３は、紐２の両側を連結するために用いられるパーツであり、扁平なベース部２２と、ベース部２２の側縁に薄肉部２３を介して接続された扁平な挟持部２５とを備えている。
【００２４】
挟持部２５は図３（ａ）のようにベース部２２の側方に配置され、薄肉部２３を屈曲することで図３（ａ）の状態から図３（ｂ）のようにベース部２２に対向する使用状態までベース部５に対して回動可能となっている。
【００２５】
ベース部２２は、前記使用状態において挟持部２５に対向する対向部２６を備え、対向部２６と挟持部２５とで紐２の端部に取り付けられる取付部２７が構成されている。
【００２６】
挟持部２５及び対向部２６の夫々の薄肉部２３と反対側の側端部には、係合部２８及び該係合部２８が弾性的且つ着脱自在に嵌め込まれて係合する被係合部２９が形成されている。図３（ｂ）のように係合部２８を被係合部２９に係合すると、取付部２７は一方に開口３０を有する扁平筒状となる。
【００２７】
挟持部２５及び対向部２６の前記使用状態において互いに対向する面には、先端が尖った突起３１が複数形成されている。各突起３１は先端側程前記取付部１３の開口３０から離れるように傾斜している。
【００２８】
取付部２７を紐２の端部に取り付けるには、前述のように対向部２６に対して挟持部２５を使用状態まで回動し、紐２の端部を対向部２６と挟持部２５との間に挟み込むと共に、係合部２８を被係合部２９に係合する。これにより連結用パーツ３は、対向部２６と挟持部２５で紐２の端部を挟持し、且つ、対向部２６及び挟持部２５の各突起３１を紐２の端部に食い込ませて該紐２の端部が取付部２７の開口３０から抜け出ることを防止した状態で、紐２の端部に取り付けられる。
【００２９】
ベース部２２及び挟持部２５の薄肉部２３側の側端部には、前記開口３０が形成される側とは反対側に向けて突出する突出部３２、３３が形成されている。各突出部３２、３３の先端部には凹部３４が形成され、前述のように挟持部２５を使用状態まで回動すると、両突出部３２、３３が合わさって、取付部２７とは反対側に開口３５を有する側面視略Ｃ字状の被嵌合部３６が形成される。
【００３０】
ベース部２２の薄肉部２３と反対側の側端部には、突出部３２と略同一方向に突出する弾性片部３７が形成され、弾性片部３７の先端部には突出部３２側に向けて突出するピン状の嵌合部３８が形成されている。そして、弾性片部３７、嵌合部３８、被嵌合部３６、及び前記使用状態における取付部２７の開口３０とは反対側の縁部により、紐通し部３９が構成されている。つまり、嵌合部３８及び被嵌合部３６は紐通し部３９の周方向の両端部に形成されている。
【００３１】
連結用パーツ３が図３（ｂ）の使用状態にあるときには、弾性片部３７を弾性変形させることで、嵌合部３８の先端部を被嵌合部３６に開口３５から圧入して嵌合できる。このように紐通し部３９の周方向の一端部に形成された嵌合部３８が他端部に形成された被嵌合部３６に嵌合されて接続されると、紐通し部３９は無端のループ状となって中央に紐２を通すための通し孔４０が形成される。そして、紐通し部３９に前記長さ調節用パーツ４の取付部１３に取り付けられた紐２の他端部と保持部１５で保持された中途部との中間部を通し、嵌合部３８を被嵌合部３６に嵌合することで、紐２の両側を連結することができる。またこの嵌合部３８に対して、取付部２７と反対側に向けて大きな力が作用した際には、嵌合部３８の先端部が被嵌合部３６の開口３５が形成された先端部を押し広げて被嵌合部３６から外れるようになっている。
【００３２】
紐連結具１を用いて紐輪を作るには例えば以下のようにする。まず前述のように連結用パーツ３の取付部２７に紐２の一端部を取り付け、長さ調節用パーツ４の取付部１３に紐２の他端部を取り付ける。次に前述のように長さ調節用パーツ４の保持部１５で紐２の中途部を保持する。次に被嵌合部３６から嵌合部３８を外して環状を解いた紐通し部３９の嵌合部３８を、紐２の取付部１３に取り付けられた他端部から保持部１５で保持された中途部までのループ状部４１の内側に通し、この後、嵌合部３８の先端部を被嵌合部３６に嵌合して紐通し部３９を無端状にする。これにより紐２は両側が連結されて紐輪となる。なお、この手順は一例であって、取付部２７や取付部１３を紐２の端部に取り付ける作業、保持部１５により紐２の中途部の保持する作業、紐通し部３９に紐２を通す作業は前後しても構わない。
【００３３】
このようにして作られた紐輪は、例えば紐２の保持部１５で保持された部分と取付部２７に取り付けられた一端部との中間部に名札等の吊下物が取り付けられる等してネックストラップとして利用される。また保持部１５に対して紐２を摺動して前記ループ状部４１の長さを調節することで、紐輪の大きさを使用者の首周りにあった大きさにすることができる。また、紐２の取付部１３に取り付けられた他端部から紐通し部３９に通された中間部までの部位と、紐通し部３９に通された中間部から保持部１５で保持された中途部までの部位を重ねることができ、この場合、紐輪の一部にくびれた部分ができず見栄えが良い。
【００３４】
また使用時の安全性も高い。すなわち首に掛けた紐輪が物に引っ掛かる等して、紐２に前記保持部１５による紐２の保持力を大きく上回る張力が作用した場合には、保持部１５に対して紐２が摺動して前記ループ状部４１の長さが短くなっていき、終には連結用パーツ３と長さ調節用パーツ４が当たってそれ以上紐２を保持部１５に対して摺動できなくなり、この際紐２にはさらに大きな張力が作用する。すると、連結用パーツ３の嵌合部３８がこれに掛け回された紐２によって長さ調節用パーツ４側に引っ張られ、図４のように該嵌合部３８の先端部が被嵌合部３６から外れて環状の紐通し部３９の両端部が分離し、紐輪が解ける。このため物に引っ掛かる等した紐輪によって首が過大な力で引っ張られることを防止できる。
【００３５】
また紐２の両側を連結する機能と紐輪に過大な張力が作用した際に紐輪を解く機能を兼ね備えた紐通し部３９は、嵌合により連結された周方向の両端部が分離することにより紐輪が解けるようにしているため、一体に形成できる。このため連結用パーツ３は、取付部２７と紐通し部３９を一体に形成して一部材にできる。さらに長さ調節用パーツ４も取付部１３と保持部１５を一体に形成して一部材にできる。したがって紐連結具１の部材点数を少なくして製造コストを抑えることができる。
【００３６】
なお、本発明は、線状の紐を輪状にするものや、ネックストラップ以外の用途に用いられる紐連結具にも適用しても構わない。
【符号の説明】
【００３７】
１  紐連結具
２  紐
３  連結用パーツ
４  長さ調節用パーツ
１５  保持部
３９  紐通し部
【図１】
2011139730.tif 000003
【図２】
2011139730.tif 000004
【図３】
2011139730.tif 000005
【図４】
2011139730.tif 000006